(57)【要約】【課題】  適切な大きさの画像を印刷させることができる印刷制御装置、印刷制御方法、およびプログラムを提供する。【解決手段】  印刷媒体のサイズをセンサが検出することにより得られた当該印刷媒体のサイズの複数の候補のそれぞれにおける幅と長さから、余白設定の内容に対応する幅と長さのそれぞれを個別に選択する。そして、その選択された幅と長さと余白設定とに対応する大きさの画像を印刷手段に印刷させる。【選択図】  図７
2015009473.tif 000002
【特許請求の範囲】
【請求項１】
印刷対象の画像の印刷における余白設定の内容を判定する判定手段と、
印刷媒体のサイズをセンサが検出することにより得られた当該印刷媒体のサイズの複数の候補のそれぞれにおける幅と長さから、前記判定手段により判定された前記余白設定の内容に対応する幅と長さのそれぞれを個別に選択する選択手段と、
前記選択手段により選択された幅と長さと前記余白設定とに対応する大きさの前記印刷対象の画像を印刷手段に印刷させる印刷制御手段と、
を有することを特徴とする印刷制御装置。
【請求項２】
前記判定手段は、前記印刷対象の画像の印刷において印刷媒体に余白を設けるか否かを、前記余白設定の内容として判定することを特徴とする請求項１に記載の印刷制御装置。
【請求項３】
前記選択手段は、前記判定手段により判定された前記余白設定の内容が印刷媒体に余白を設けないための設定である場合、前記複数の候補のそれぞれにおける幅と長さから、当該複数の候補における最大の幅と最大の長さを選択することを特徴とする請求項２に記載の印刷制御装置。
【請求項４】
前記選択手段は、前記判定手段により判定された前記余白設定の内容が印刷媒体に余白を設けるための設定である場合、前記複数の候補のそれぞれにおける幅と長さから、当該複数の候補における最小の幅と最小の長さを選択することを特徴とする請求項２に記載の印刷制御装置。
【請求項５】
前記印刷媒体のサイズを前記センサが検出することにより得られた当該印刷媒体のサイズの候補が１つの場合、前記印刷制御手段は、当該１つの候補と前記余白設定に基づく大きさの画像を印刷させることを特徴とする請求項１乃至４のいずれか１項に記載の印刷制御装置。
【請求項６】
前記印刷制御手段は、前記選択手段により選択された幅と長さと前記余白設定とに応じて前記印刷対象の画像を変倍し、当該変倍された画像を前記印刷手段に印刷させることを特徴とする請求項１乃至５のいずれか１項に記載の印刷制御装置。
【請求項７】
前記印刷媒体のサイズを前記センサが検出することにより得られた当該印刷媒体のサイズの候補に基づく大きさの画像を印刷させるか所定の条件に従って決定する決定手段を有し、
前記印刷制御手段は、前記候補に基づく大きさの画像を印刷させることが前記決定手段により決定された場合、当該候補に基づく大きさの画像を印刷させ、前記候補に基づく大きさの画像を印刷させることが前記決定手段により決定されなかった場合、印刷設定として設定されている印刷媒体のサイズに対応する大きさの画像を印刷させることを特徴とする請求項１乃至６のいずれか１項に記載の印刷制御装置。
【請求項８】
前記決定手段は、前記印刷対象の画像に対応するデータの種類が前記印刷手段により印刷可能なデータの複数の種類のうちの所定の種類であることを前記所定の条件として、前記決定を行うことを特徴とする請求項７に記載の印刷制御装置。
【請求項９】
前記決定手段は、前記データを含むファイルの形式が所定のファイル形式であることを前記所定の条件として、前記決定を行うことを特徴とする請求項８に記載の印刷制御装置。
【請求項１０】
前記所定のファイル形式はＪＰＥＧ形式であることを特徴とする請求項９に記載の印刷制御装置。
【請求項１１】
前記印刷対象の画像に対応するデータを外部装置から受信する受信手段を有し、
前記決定手段は、前記受信手段が前記外部装置から前記データを受信するときに使用されるプロトコルが所定のプロトコルであることを前記所定の条件として、前記決定を行うことを特徴とする請求項７に記載の印刷制御装置。
【請求項１２】
前記印刷手段は、印刷媒体を印刷ヘッドに対応する位置に搬送して当該搬送された印刷媒体に対して当該印刷ヘッドにより印刷を実行し、前記センサは、当該印刷ヘッドに対応する位置に設けられ、印刷媒体が搬送されたときに当該印刷媒体のサイズを検出することを特徴とする請求項１乃至１１のいずれか１項に記載の印刷制御装置。
【請求項１３】
前記センサは印刷媒体の幅を検出することを特徴とする請求項１乃至１２のいずれか１項に記載の印刷制御装置。
【請求項１４】
前記判定手段は、ユーザの指示に応じて設定された余白設定の内容を判定することを特徴とする請求項１乃至１３のいずれか１項に記載の印刷制御装置。
【請求項１５】
印刷対象の画像の印刷における余白設定の内容を判定する判定工程と、
印刷媒体のサイズをセンサが検出することにより得られた当該印刷媒体のサイズの複数の候補のそれぞれにおける幅と長さから、前記判定工程において判定された前記余白設定の内容に対応する幅と長さのそれぞれを個別に選択する選択工程と、
前記選択工程において選択された幅と長さと前記余白設定とに対応する大きさの前記印刷対象の画像を印刷手段に印刷させる印刷制御工程と、
を有することを特徴とする印刷制御方法。
【請求項１６】
請求項１５に記載の印刷制御方法をコンピュータに実行させるためのプログラム。
【発明の詳細な説明】
【技術分野】
【０００１】
本発明は、印刷対象の画像を印刷させる印刷制御装置、印刷制御方法、およびプログラムに関する。
【背景技術】
【０００２】
印刷装置において印刷が実行されるときに、印刷装置において使用される用紙の幅を印刷装置が備える紙幅センサが検出し、紙幅センサにより検出された用紙の幅に合わせて印刷対象の画像を変倍する技術がある。
【０００３】
特許文献１には、紙幅センサにより検出された用紙幅から用紙サイズのグループを特定することが記載されている。また印刷において印刷媒体に余白を設けるか否かに応じて、グループ内の基準サイズをグループ内の他のサイズに合わせて変倍し、変倍された基準サイズに合わせて印刷対象の画像のラスタライズを行うことが記載されている。
【先行技術文献】
【特許文献】
【０００４】
【特許文献１】特開２００６−２１５９６２号公報
【発明の概要】
【発明が解決しようとする課題】
【０００５】
しかしながら特許文献１に記載の技術では、印刷媒体に余白を設けるか否かに応じて基準サイズが変倍されるため、適切なサイズの画像を印刷できない場合がある。
【０００６】
例えば上記用紙サイズのグループ内において縦横比が縦長であるサイズＡと、サイズＡよりも縦横比が横長であるサイズＢがあり、サイズＡが基準サイズであったとする。このとき印刷用紙において余白を設けないために基準サイズ（サイズＡ）がサイズＢに合わせて拡大された場合、サイズＡ、サイズＢよりも大きな縦長の画像が印刷されることになる。すると、仮に印刷装置にサイズＢの印刷用紙がセットされているときに、上記縦長の画像が横長であるサイズＢの印刷用紙に印刷されるため、画像が大きく欠けて印刷されてしまうことがある。
【０００７】
本発明は上記の課題を解決するためになされたものであり、適切な大きさの画像を印刷させることができる印刷制御装置、印刷制御方法、およびプログラムを提供することを目的とする。
【課題を解決するための手段】
【０００８】
上記の課題を解決するために本発明の印刷制御装置は、印刷対象の画像の印刷における余白設定の内容を判定する判定手段と、印刷媒体のサイズをセンサが検出することにより得られた当該印刷媒体のサイズの複数の候補のそれぞれにおける幅と長さから、前記判定手段により判定された前記余白設定の内容に対応する幅と長さのそれぞれを個別に選択する選択手段と、前記選択手段により選択された幅と長さと前記余白設定とに対応する大きさの前記印刷対象の画像を印刷手段に印刷させる印刷制御手段と、を有することを特徴とする。
【発明の効果】
【０００９】
本発明によれば、印刷媒体のサイズをセンサが検出することにより得られた当該印刷媒体のサイズの複数の候補のそれぞれにおける幅と長さから、余白設定の内容に対応する幅と長さのそれぞれが個別に選択される。そして、その選択された幅と長さと余白設定とに対応する大きさの画像が印刷される。そのため、適切な大きさの画像を印刷させることができる。
【図面の簡単な説明】
【００１０】
【図１】印刷装置１００が備える印刷機構を示す図である。
【図２】用紙センサ１１８による用紙幅の検出を説明するための図である。
【図３】印刷装置１００の構成を示すブロック図である。
【図４】本実施形態における用紙サイズテーブルを示す図である。
【図５】ＣＰＵ２０１による印刷制御処理の一例を示すフローチャートである。
【図６】本実施形態における印刷対象の画像サイズを決定する処理を示す図である。
【図７】フィッティング処理の詳細を示すフローチャートである。
【図８】コピー機能における印刷制御処理の一例を示すフローチャートである。
【発明を実施するための形態】
【００１１】
以下、本発明の実施形態の一例について詳細に説明する。
【００１２】
図１は、本実施形態における印刷装置１００が備える印刷機構を示す図である。給紙トレイ１０１には印刷用紙が格納されている。給紙ローラ１０３は、給紙トレイ１０１に格納されている印刷用紙を搬送ローラ１０５、１０６に給紙する。印刷用紙１０４は、給紙ローラ１０３により給紙され、搬送ローラ１０５、１０６により搬送されている印刷用紙である。図１のように、印刷用紙１０４は、搬送ローラ１０５、１０６により部材１０７、１０８による搬送路を通り、搬送ローラ１０９、１１０へ搬送される。搬送ローラ１０９、１１０は、印刷用紙１０４をプラテン１１１に搬送する。
【００１３】
またプラテン１１１の上部には印刷ヘッド１１２を搭載したキャリッジ１１３が設けられている。キャリッジ１１３は、ガイドレール１１４に沿って図１に示すＡ方向（図１中手前から奥に向かう方向）、Ｂ方向（図１中奥から手前に向かう方向）に往復走査する。印刷装置１００は、キャリッジ１１３をＡ方向、Ｂ方向に走査させながら、印刷ヘッド１１２に駆動パルスを印加することにより印刷ヘッド１１２からインク等の記録剤を吐出させる。このように印刷ヘッド１１２から印刷用紙１０４に記録剤が吐出されることで、印刷用紙１０４に印刷対象の画像が印刷される。画像が印刷された印刷用紙１０４はさらに搬送ローラ１０９、１１０により、排紙ローラ１１５、１１６に搬送される。排紙ローラ１１５、１１６は印刷用紙１０４を、排紙トレイ１１７に排紙する。
【００１４】
またキャリッジ１１３には、反射型の光学センサである用紙センサ１１８が設けられている。印刷装置１００は、この用紙センサ１１８が受光した光の強さを示す出力レベル（出力電圧）を取得し、その出力レベルが印刷用紙からの反射光に対応するレベルであるか判定することにより、当該受光された位置に印刷用紙が存在するか検出することができる。また上記のように、用紙センサ１１８はキャリッジ１１３に設けられており、印刷ヘッド１１２とともに走査される。そして印刷装置１００は、用紙センサ１１８の走査が行われる範囲について印刷用紙１０４が存在するか検出することで、当該走査の範囲における印刷用紙の端部を判定することができる。そして当該印刷用紙の左右の端部間の距離に基づいて、当該印刷用紙の幅を検出することができる。この検出処理の詳細について図２を用いて説明する。用紙センサ１１８（キャリッジ１１３）の走査位置は後述するエンコーダ２２４によって検出される。
【００１５】
印刷装置１００は、上記の給紙トレイ１０１、プラテン１１１、印刷ヘッド１１２、キャリッジ１１３、ガイドレール１１４、排紙トレイ１１７、また上記の各種のローラを印刷機構として備える。
【００１６】
図２は、用紙センサ１１８による用紙幅の検出を説明するための図である。
【００１７】
上記のように、印刷装置１００はキャリッジ１１３をガイドレール１１４に沿って矢印Ａ方向、Ｂ方向に往復移動させながら印刷ヘッド１１２に記録剤を吐出させることにより、印刷用紙１０４上に画像を印刷する。またキャリッジ１１３の移動範囲（用紙センサの位置ｘ）においてプラテン１１１から外れた位置には、印刷ヘッド１１２のキャッピングを行うためにヘッド回復機構１１９が設けられている。用紙センサの位置ｘは、後述するエンコーダ２２４により検出されたキャリッジ１１３の位置により特定される。
【００１８】
また用紙センサ１１８はプラテン１１１上を走査しながら光を受光し、受光された光の出力レベルを検出する。図２に示すグラフは、キャリッジ１１３の移動範囲において用紙センサ１１８が検出した出力レベルを示す。なお本実施形態においては、印刷用紙は白色等の明るい色であり、プラテン１１１は黒色等の暗い色である。よって印刷用紙がプラテン１１１に存在する位置については高い出力レベル（印刷用紙からの強い反射光）が取得され、印刷用紙が存在しない位置については低い出力レベル（プラテン１１１からの弱い反射光）が検出される。
【００１９】
用紙センサ１１８は、キャリッジ１１３がヘッド回復機構１１９の位置にいるときにプラテン１１１における位置Ｅの反射光を受光する。そして、キャリッジ１１３がＡ方向に向かって移動すると、印刷用紙１０４の端部に対応する位置で出力レベルが上がる。そして、印刷用紙１０４の端部から反対側の端部までは、およそ一定の出力レベルが取得され、端部において出力レベルが下がる。
【００２０】
本実施形態においては、用紙センサ１１８の出力レベルが所定の閾値Ｖｔｈを超える場合に、当該出力レベルが検出された位置に印刷用紙１０４が存在するものと判定する。具体的には、図２における位置Ｇ、位置Ｆが印刷用紙１０４の端の位置であり、位置Ｇ〜位置Ｆまでの範囲を、印刷用紙１０４が存在する範囲とする。そして、位置Ｇ〜位置Ｆの距離を、印刷用紙１０４の用紙幅として検出する。
【００２１】
なお本実施形態において印刷装置１００は、印刷用紙の中心がプラテン１１１の中央位置Ｃとなるように、印刷用紙１０４を中央寄せで搬送する。このとき仮に印刷用紙１０４が大きく、図２において印刷用紙１０４の右端が位置Ｅよりも右側であった場合、印刷用紙１０４の右端の位置を検出できないことがある。
【００２２】
そこで本実施形態において印刷装置１００は、印刷用紙１０４の右端の位置が位置Ｅよりも右にある場合、中央位置Ｃと印刷用紙１０４の左端の位置Ｇとの距離により、印刷用紙１０４の用紙幅を判定する。具体的には、まず位置Ｅにおける出力レベルがＶｔｈを超える場合、印刷用紙１０４の右端の位置が位置Ｅもしくは位置Ｅよりも右側であると判定される。このように判定された場合、中央位置Ｃと位置Ｇの距離を２倍した長さが、印刷用紙１０４の用紙幅として検出される。即ち、印刷装置１００は印刷用紙１０４の中心が中央位置Ｃとなるように印刷用紙１０４を搬送するため、中央位置Ｃと印刷用紙１０４の左端の位置Ｇとの距離が用紙幅の半分の長さとなる。よって印刷装置１００は、中央位置Ｃと位置Ｇとの距離を２倍した長さを用紙幅として検出することができる。なお、キャリッジの走査範囲における中央位置Ｃを示す値が印刷装置１００内のメモリに予め記憶されており、印刷装置１００はこの値を参照することで、中央位置Ｃと位置Ｇとの距離を求めることができる。
【００２３】
なお、上記の閾値Ｖｔｈは固定の値でなくてもよく、例えば位置Ｅにおける出力レベルに応じて閾値を変更する場合であってもよい。また印刷媒体の表面の特性による反射光の強さに応じて閾値Ｖｔｈを決定してもよい。具体的には、印刷に用いられる用紙の種別（普通紙、光沢紙等）に応じて、閾値Ｖｔｈを変更する。さらに、印刷用紙の有無を検出する方法として、上記のように出力レベルが閾値を超えるか判定する方法でなく、位置Ｅにおける出力レベルと他の位置における出力レベルの比較結果から印刷用紙の有無を検出してもよい。例えば、位置Ｅの出力レベルにより位置Ｅにおいて印刷用紙が存在しないと判定した場合に、その出力レベルから所定値以上大きな出力レベルの位置に印刷用紙が存在すると判定してもよい。
【００２４】
また、図２の方法では、キャリッジ１１３に用紙センサ１１８を設け、用紙センサ１１８が移動しながら検出を行う例について説明したが、これに限らない。例えばプラテン１１１上にキャリッジ１１３とは個別に用紙センサが設けられる場合であってもよい。この場合、印刷用紙の搬送路の幅に対応する数の用紙センサを並べて配置し、各用紙センサが印刷用紙の存在を検出したか判定することにより、印刷用紙の幅を判定することができる。
【００２５】
次に、印刷装置１００の構成を説明する。図３は、印刷装置１００の構成を示すブロック図である。
【００２６】
ＣＰＵ２０１は、印刷装置１００を制御するプロセッサである。ＣＰＵ２０１は内部バス２０２を介して、ＲＯＭやハードディスク等のプログラムメモリ２０３とＲＡＭ等のデータメモリ２０４と接続されている。プログラムメモリ２０３には、印刷装置１００を制御するためのプログラムが格納されている。ＣＰＵ２０１は、プログラムメモリ２０３に格納されているプログラムをデータメモリ２０４に読み出し、データメモリ２０４に割り当てられているワークメモリ２０５上で実行することにより、印刷装置１００を制御することができる。またデータメモリ２０４には、画像メモリ２０６も割り当てられており、印刷装置１００において印刷される画像データなどの各種のデータがＣＰＵ２０１により画像メモリ２０６に展開される。
【００２７】
インタフェース制御部２０７は、ＣＰＵ２０１の制御によりインタフェースを介してスマートフォン等のスマートデバイス２０８と通信を行う。例えば、スマートデバイス２０８から印刷対象のジョブを受信し、また印刷装置１００のステータス情報をスマートデバイス２０８へ通知することができる。なお、インタフェース制御部２０７は、ＵＳＢ（Ｕｎｉｖｅｒｓａｌ  Ｓｅｒｉａｌ  Ｂｕｓ）ケーブル等の有線のインタフェースを介して通信を行ってもよいし、または赤外線通信や無線ＬＡＮ等の無線インタフェースを介して通信を行ってもよい。なお、スマートデバイス２０８は、例えばスマートフォンやタブレット端末である。また携帯電話やＰＤＡ等の携帯端末が、本実施形態におけるスマートデバイス２０８として動作してもよい。
【００２８】
また通信相手は、スマートデバイス２０８に限らずパーソナルコンピュータであってもよい。その他、ネットワークを介して接続されたサーバであってもよいし、電話回線を介して接続されたファクシミリ装置や、デジタルテレビ等の装置であってもよい。また、印刷ジョブに印刷対象のデータが含まれている場合に限らず、印刷ジョブに含まれているアドレス情報に従って印刷装置１００がサーバ等の外部装置から印刷対象のデータを取得する場合であってもよい。
【００２９】
モータ制御部２０９はＣＰＵ２０１による制御により、印刷装置１００の印刷機構を駆動するための各種モータを制御する。搬送モータ２１０は、モータ制御部２０９の制御に従って、図１で示した給紙ローラ１０３、搬送ローラ１０５、１０６、１０９、１１０、排紙ローラ１１５、１１６を駆動する。キャリッジモータ２１１（ＣＲモータ）は、モータ制御部２０９の制御に従ってキャリッジ１１３を駆動し、キャリッジ１１３を往復移動させる。また回復モータ２１２は、モータ制御部２０９の制御に従ってヘッド回復機構１１９を駆動する。
【００３０】
ヘッド制御部２１３は、ＣＰＵ２０１の制御に従って印刷ヘッド１１２を制御し、印刷ヘッド１１２にインク等の記録剤を吐出させる。ＣＰＵ２０１は印刷ヘッド１１２と搬送モータ２１０を共に駆動させることで、印刷ヘッド１１２を走査させながら印刷用紙に画像を印刷させる。即ち、印刷装置１００内のＣＰＵ２０１が印刷制御装置として動作し、印刷機構としての各種のモータ、印刷ヘッド１１２を制御して、当該印刷機構に画像を印刷させる。
【００３１】
センサ制御部２１４は、ＣＰＵ２０１の制御に従って、用紙センサ１１８に含まれるセンサ光源２１５を発光させ、また用紙センサ１１８が備える光学センサ２１６に反射光を受光させる。またセンサ制御部２１４は、光学センサ２１６が受光した光の強さを示す出力レベルを取得する。ＣＰＵ２０１は、センサ制御部２１４が取得した出力レベルを取得することで、図２で示した用紙幅の判定を行うことができる。なお、ＣＰＵ２０１は後述する処理により、上記のように判定された用紙幅に応じて、用紙長も含めた用紙サイズを判定する。
【００３２】
パネル制御部２１７は、ＣＰＵ２０１の制御に従って、操作パネル２１８を制御する。なお、操作パネル２１８は、キーやタッチパネルなどユーザが操作を行う操作デバイスと、画像等の各種の情報を表示できる表示パネルを含む。例えばユーザが操作パネル２１８の操作デバイスを操作すると、ユーザの指示がパネル制御部２１７に入力され、その指示がさらにＣＰＵ２０１に入力される。またパネル制御部２１７がＣＰＵ２０１の指示に応じて、画像メモリ２０６に展開されている画像を操作パネルの表示パネルに表示する。
【００３３】
スキャナ制御部２１９は、ＣＰＵ２０１の制御に従って、スキャナ２２０を制御し、スキャナ２２０の原稿台に載置されている原稿をスキャナ２２０に読み取らせ、その読取画像を入力する。またスキャナ制御部２１９を画像メモリ２０６に格納する。メモリカード制御部２２１は、ＣＰＵ２０１の制御により、メモリカードスロット２２２に装着されたメモリカード２２３に対して各種のデータの書き込み、読み出しを行う。
【００３４】
エンコーダ２２４は、ガイドレール１１４に沿ってキャリッジ１１３が走査するときのキャリッジ１１３の位置を特定する。ＣＰＵ２０１は、エンコーダ２２４により特定されたキャリッジ１１３の位置と、キャリッジ１１３における用紙センサ１１８の取り付け位置により、図２に示した用紙センサの位置ｘを特定する。
【００３５】
本実施形態においてＣＰＵ２０１は、上記のように用紙センサ１１８により判定された用紙幅に応じて、用紙長も含めた用紙サイズを判定する。なお、本実施形態の印刷装置１００は、用紙センサ１１８が印刷ヘッド１１２とともにキャリッジ１１３に設けられている。そして、キャリッジ１１３を移動させるための各種のモータやガイドレール１１４、キャリッジ１１３の位置を特定するためのエンコーダ２２４等の部材は、印刷ヘッド１１２による印刷と用紙センサ１１８による用紙幅の検出の両方に共通して用いられる。そのため、印刷のための部材とは別に、用紙幅の検出のために上記の部材を設けなくてもよく、印刷装置１００が大型化してしまうことを防ぐことができる。
【００３６】
図４は、本実施形態における用紙サイズテーブルを示す図である。図４（ａ）の用紙サイズ管理テーブルは、印刷装置１００で使用され得る用紙サイズ３００と、当該サイズの用紙幅３０１、用紙長３０２、縦横比（アスペクト比）３０３が含まれている。なお、用紙幅３０１、用紙長３０２の単位はミリメートル（ｍｍ）である。
【００３７】
なお用紙サイズテーブルはプログラムメモリ２０３に格納されており、ＣＰＵ２０１は、プログラムメモリ２０３からデータメモリ２０４に用紙サイズテーブルを読み出すことで用紙サイズテーブルを参照することができる。なお、用紙幅３０１の情報はテーブル形式で保持される場合に限らず、用紙サイズに対応付けて用紙幅３０１を記憶する種々の方法が採用される。
【００３８】
本実施形態においてＣＰＵ２０１は、用紙センサ１１８により検出された用紙幅に応じて印刷用紙のサイズを判定する。具体的には、ＣＰＵ２０１は用紙サイズテーブルにおいて、用紙センサ１１８により検出された用紙幅の所定範囲内にある用紙幅３０１を持つ用紙サイズ３００を、印刷装置１００において搬送されている印刷用紙１０４のサイズとして特定する。このように所定の範囲を設ける理由は、例えば印刷用紙の状態や印刷装置１００が置かれている環境によって印刷用紙からの反射光の強さが異なるために、用紙センサ１１８の検出結果と実際の用紙幅の間に誤差が生じる場合があるからである。
【００３９】
そこで例えば上記所定の範囲を上下３ｍｍとして、用紙センサ１１８により用紙幅として１２６．０ｍｍが検出された場合、１２３．０ｍｍ〜１２９．０ｍｍに含まれる用紙幅３０１に対応する用紙サイズ３００を、印刷用紙のサイズの候補として特定する。図４（ａ）の用紙サイズテーブルに示されているように、この場合、用紙幅３０１（１２７．０ｍｍ）に対応する２Ｌ判が候補として特定される。
【００４０】
またこのように用紙サイズが一意に特定される場合に限らず、用紙幅が近い複数の用紙サイズが、当該印刷媒体のサイズの候補として特定される場合がある。例えば用紙センサ１１８により用紙幅として９９．０ｍｍが検出された場合、用紙幅の範囲９６．０ｍｍ〜１０２．０ｍｍに封筒洋形６号（用紙幅９８．０ｍｍ）、はがき（用紙幅１００．０ｍｍ）、４×６判（用紙幅１０１．６ｍｍ）が含まれる。同様に、用紙幅として２１３．０ｍｍが検出された場合、Ａ４サイズ（用紙幅２１０．０ｍｍ）とレター（用紙幅２１５．９ｍｍ）が用紙サイズの候補として特定される。
【００４１】
本実施形態においては、印刷に用いられる印刷用紙のサイズとして上記のように複数の候補が特定された場合、印刷が実行されるときの余白設定に応じて印刷用紙のサイズを判定する。そして、その印刷用紙のサイズと余白設定に応じて印刷対象の画像のサイズを決定する。
【００４２】
具体的には、印刷用紙に余白を設けないように印刷対象の画像を用紙サイズよりも大きく変倍して印刷させる「フチなし印刷」に関する設定を余白設定の例として説明する。フチなし印刷が実行される場合、複数の候補のうちの最大の用紙幅を有するサイズの用紙幅と、複数の候補のうちの最大の用紙長を有するサイズの用紙長が選択される。例えばＡ４サイズ（用紙幅２１０．ｍｍ、用紙長２９７．０ｍｍ）、レターサイズ（用紙幅２１５．９ｍｍ、用紙長２７９．４ｍｍ）が候補である場合、用紙幅２１５．９ｍｍ、用紙長２９７．０ｍｍの用紙サイズを印刷用紙のサイズとする。そして、その印刷用紙のサイズよりも印刷対象の画像が大きくなるように、印刷対象の画像を変倍する。
【００４３】
このように印刷対象の画像を変倍すると、印刷装置にセットされている印刷用紙のサイズがＡ４サイズであってもレターサイズであっても、印刷用紙よりも大きな画像が印刷される。そのため、印刷結果において余白ができることを防ぐことができる。詳細については図６、図７を用いて後述する。
【００４４】
なお、図２を用いて説明したように、本実施形態においては印刷用紙１０４が大きい場合に印刷用紙１０４の片端が用紙センサ１１８により検出されないことがあり、このとき中央位置Ｃと位置Ｇとの距離に基づく計算により用紙幅が判定される。この場合、例えば印刷用紙１０４の特性等により、印刷用紙１０４の中心が中央位置Ｃから外れて搬送されてしまうことがある。よって、印刷用紙１０４の片端が検出されなかった場合には、上記所定の範囲を±３ｍｍではなく±１０ｍｍなど比較的広く設定するようにしてもよい。この場合、例えば用紙幅２１０ｍｍが検出されると、往復はがき（用紙幅２００．０ｍｍ）、六切（用紙幅２０３．２ｍｍ）、Ａ４サイズ（用紙幅２１０．０ｍｍ）とレター（用紙幅２１５．９ｍｍ）が用紙サイズの候補として特定される。
【００４５】
また上記の例では、用紙センサ１１８の検出結果である用紙幅を中心に、所定の範囲内（例えば±３ｍｍ）に含まれる用紙サイズを特定していた。しかしこれに限らず、検出結果よりも所定幅（例えば＋３ｍｍ）大きい範囲に含まれる用紙サイズを特定してもよいし、逆に所定幅小さな範囲に含まれる用紙サイズを特定してもよい。また印刷用紙の種別（普通紙、光沢紙等）によって上記所定の範囲を変更するようにしてもよい。例えば印刷用紙が光沢紙の場合、普通紙の場合に比べて反射光が強い。このとき、本来は印刷用紙の位置ではない位置において用紙センサ１１８が取得した出力レベルが上記閾値Ｖｔｈを越えてしまい、当該位置に印刷用紙があるものと判定してしまう可能性がある。よって、例えば印刷用紙の種別が普通紙の場合には±３ｍｍの範囲を設定し、光沢紙の場合には、―６ｍｍの範囲を設定するようにしてもよい。その他、用紙センサ１１８の特定等、種々の条件に応じて上記所定の範囲を設定してよい。
【００４６】
また上記の説明では、図４（ａ）に示した用紙サイズテーブルを用いて用紙サイズの判定を行っていたが、別の例として、図４（ｂ）の用紙サイズテーブルを用いてもよい。
【００４７】
図４（ｂ）の用紙サイズテーブルは、図４（ａ）の用紙サイズテーブルに加えて、用紙幅が近い用紙を示す用紙情報３０４を含む。具体的には、テーブル内に記号（×）が記入されている用紙サイズが、テーブルにおいて当該用紙サイズに対応する用紙サイズと用紙幅が近いものである。例えばＡ４サイズとレターサイズは用紙幅が近いものとして用紙サイズテーブルにおいて指定されている。また封筒洋形６号、はがき、４×６判が、用紙幅が近いものとして指定されている。
【００４８】
ＣＰＵ２０１は、プログラムメモリ２０３からデータメモリ２０４に図４（ｂ）の用紙サイズテーブルを読み出すことで用紙幅３０１を参照することができる。そしてＣＰＵ２０１は、用紙センサ１１８により用紙幅が検出されたときに、検出された用紙幅に対応する用紙サイズを特定する。そして、用紙サイズテーブルにおいて当該用紙サイズに用紙幅が近い用紙サイズが指定されている場合には、その用紙幅が近い用紙サイズも含め、用紙サイズの複数の候補を特定する。
【００４９】
例えば、用紙センサ１１８により検出された用紙幅が９０．０ｍｍの場合、用紙サイズとしてＬ判が一意に特定される。一方、用紙センサ１１８により検出した用紙幅が９９．０ｍｍの場合、用紙サイズとして、当該検出された用紙幅に最も近いはがきサイズが特定され、さらにはがき以外にも、用紙情報３０４で指定されている封筒洋形６号、４×６判が特定される。
【００５０】
以上のようにＣＰＵ２０１は、図４（ａ）または図４（ｂ）の用紙サイズテーブルに基づき、用紙幅３０１に加えて用紙長３０２も含めた印刷用紙の用紙サイズを判定する。そして、ＣＰＵ２０１は、判定した用紙サイズに応じた印刷処理を実行する。
【００５１】
なおＣＰＵ２０１は、図４で示した用紙サイズ（定型サイズ）以外にも、任意の用紙サイズを用紙サイズとして設定して、印刷を行うことができる。具体的には、ｍｍ（ミリメートル）単位で用紙幅、用紙長を用紙サイズとして設定して、設定された用紙幅、用紙長に応じて印刷対象の画像を変倍することにより、設定された用紙サイズに対応する大きさの画像を印刷用紙に印刷することができる。
【００５２】
図５は、ＣＰＵ２０１による印刷制御処理の一例を示すフローチャートである。なお図５に示すフローチャートの処理に対応するプログラムがプログラムメモリ２０３に格納されている。ＣＰＵ２０１はこのプログラムをワークメモリ２０５に読み出し、ワークメモリ２０５上で実行することにより、図５に示すフローチャートの各ステップにおける処理を実現することができる。
【００５３】
Ｓ１０００でＣＰＵ２０１は、インタフェース制御部２０７を介して外部装置からの印刷ジョブを受信し、データメモリ２０４に格納する。なお、この印刷ジョブには、印刷装置１００における印刷対象となる画像等のデータと、当該データの印刷における用紙の種別等の印刷設定を示す印刷設定情報が含まれている。
【００５４】
Ｓ１０００において印刷ジョブが受信されると、ＣＰＵ２０１はＳ１００１において、印刷設定において設定されている用紙サイズ、当該印刷ジョブを送信した装置の種類、当該印刷ジョブに含まれている印刷対象のデータの種類を特定する。
【００５５】
なおＳ１００１でＣＰＵ２０１は、Ｓ１０００において受信された印刷ジョブに含まれている印刷設定情報を解析する。そして、その印刷設定情報内で当該印刷ジョブに対応する印刷対象のデータに対して設定されている印刷用紙の設定サイズ（設定用紙サイズ）を特定する。この印刷設定情報内の設定用紙サイズは、Ｓ１０００において受信された印刷ジョブを送信した装置（サーバやホストコンピュータ、スマートデバイスなど）により設定される。例えば、当該装置のユーザが当該装置の画面上で印刷用紙のサイズを指定すると、そのサイズを示すサイズ情報が設定用紙サイズとして印刷設定情報内に登録され、当該印刷設定情報を含む印刷ジョブがＳ１００１で受信される。Ｓ１００１では、例えばこのように設定された印刷用紙のサイズが特定される。
【００５６】
なお上記印刷設定情報は、印刷ジョブ内において、印刷対象のデータとは別の情報として印刷ジョブに含まれている。即ち、上記設定用紙サイズを示す情報についても、印刷対象のデータとは別に含まれている。またＤＰＯＦ  （Ｄｉｇｉｔａｌ  Ｐｒｉｎｔ  Ｏｒｄｅｒ  ｆｏｒｍａｔ）ファイルのように、設定用紙サイズを含む印刷設定情報が１つのファイルとして印刷装置１００に送信されてもよい。即ち、印刷対象のデータ（ＪＰＥＧファイル等）とは別のファイルとして印刷設定情報が印刷装置１００に送信されてもよい。
【００５７】
ただし、Ｓ１０００において受信された印刷ジョブを送信した装置や、当該印刷ジョブにおいて印刷指示を行ったアプリケーションによって、印刷設定情報に印刷用紙のサイズの設定情報が含まれている場合と、その設定情報が含まれていない場合がある。Ｓ１００１では、印刷用紙のサイズの設定情報が含まれている場合に、当該設定情報が示すサイズを上記の設定用紙サイズとして特定される。
【００５８】
また、装置の種類を判定する場合、例えば外部装置から印刷ジョブを受信したときの通信におけるプロトコルにより種類を判定してもよいし、当該外部装置から当該外部装置の種類を示す情報を受信し、当該情報により判定を行ってもよい。また印刷対象のデータの種類は、印刷対象のファイルの拡張子を確認することで判定されてもよいし、印刷ジョブを送信した装置から印刷対象のデータの種類を示す情報を印刷装置１００が受信し、その情報により判定処理を行うようにしてもよい。
【００５９】
Ｓ１００２では、Ｓ１００１において特定された装置の種類と印刷対象のデータの種類に応じて、印刷対象の画像の大きさを印刷装置１００に格納されている印刷用紙のサイズに合わせて印刷を行うフィッティング印刷を実行するか判定する。具体的には、Ｓ１００１において特定された装置の種類とデータの種類がそれぞれ所定の種類であるか判定し、当該所定の種類である場合に、フィッティング印刷を行うものと判定する。例えば印刷装置１００がサーバやホストコンピュータ、スマートデバイス２０８から印刷ジョブを受信可能である場合、スマートデバイス２０８を上記所定の種類の装置としてフィッティング印刷を実行する。また印刷対象のデータのファイル形式を確認し、ファイル形式が所定のファイル形式であるか判定するものとする。上記の所定の種類として、例えば印刷対象として写真が選ばれる可能性が高い装置、ファイル形式を上記の所定の種類として設定することで、写真についてより確実にフィッティング印刷を実行することができる。
【００６０】
印刷装置１００において印刷可能なファイルの形式として、ＪＰＥＧ形式、所定のラスターファイル形式、ＰＤＦ（Ｐｏｒｔａｂｌｅ  Ｄｏｃｕｍｅｎｔ  Ｆｏｒｍａｔ）が含まれているものとする。そして、ファイル形式の上記所定の種類は、例えばＪＰＥＧ形式や所定のラスター形式であり、Ｓ１００２では、Ｓ１００１において特定されたファイル形式が所定のファイル形式である場合、フィッティング印刷を実行すると判定する。一方、Ｓ１００１において特定されたファイル形式がＰＤＦである場合、フィッティング印刷を実行しないと判定する。
【００６１】
なお、Ｓ１００２では装置の種類と印刷対象のデータの種類の両方に基づいてフィッティング印刷を実行するか判定されているが、いずれかの種類により判定処理が行われてもよい。例えば撮影装置により撮影された画像のファイル形式としてＪＰＥＧ形式で画像がメモリに記憶されることがある。そこでＳ１００２では、印刷対象のデータがＪＰＥＧ形式である場合にフィッティング印刷を実行するよう判定処理を行ってもよい。
【００６２】
またＳ１００１において特定されＳ１００２における判定の条件となる情報は種々のものであってよい。例えば印刷装置１００の印刷モードがフィッティング印刷を行うモードであった場合に、フィッティング印刷を行うようにしてもよい。またＳ１００１においてスマートデバイス２０８等の外部装置から印刷ジョブを受信するときに使用されたプロトコルが所定のプロトコルである場合に、フィッティング印刷を行うと判定してもよい。さらに、印刷装置１００が複数のインタフェースを備える場合には、Ｓ１００１における印刷ジョブの受信で使用されたインタフェースによりフィッティング印刷を行う判定してもよい。また印刷設定情報において「等倍印刷」が指定されている場合にはフィッティング印刷を行わないようにしてもよい。
【００６３】
また他の条件として、Ｓ１００１において受信された印刷ジョブに含まれている印刷設定情報において用紙サイズが指定されていなかった場合に、フィッティング印刷を行うようにしてもよい。このように用紙サイズが指定されていなかった場合とは、例えば用紙サイズを示す情報が印刷設定情報に含まれていなかった場合でもよいし、フィッティング印刷を指示するための情報が用紙サイズの情報として印刷設定情報に含まれている場合であってもよい。
【００６４】
さらに別の条件として、用紙センサ１１８による用紙幅の検出によりフィッティング印刷を行うことをユーザが画面上で指示したかに応じて、フィッティング印刷を行うか判定する場合であってもよい。例えば上記指示を行うためのチェックボックスを含む画面を印刷装置１００のＣＰＵ２０１が操作パネル２１８に表示させ、当該チェックボックスにユーザがチェックを入れた場合に、フィッティング印刷を行うようにする。他にも、印刷ジョブデータを印刷装置１００に送信する外部装置において上記の画面が表示され、ユーザがその外部装置においてフィッティング印刷を指示する場合でもよい。この場合、外部装置はフィッティング印刷を行わせるための情報を印刷ジョブデータの中に含ませて（または印刷ジョブデータに付加して）、印刷装置１００に送信する。印刷装置１００のＣＰＵ２０１は、Ｓ１００２において、外部装置から上記の情報が受信されたか否かにより、フィッティング印刷を行うか判定する。なお、操作パネル２１８または外部装置に表示される上記の画面は印刷前に予め表示され、印刷前にユーザが指示した内容が印刷実行時にＳ１００２において確認されることで、フィッティング印刷を行うか判定される。また他にも、上記の画面が印刷実行時に表示されて印刷実行時にユーザが指示を行う場合であってもよい。
【００６５】
さらにフィッティング印刷を行わせるためのユーザによる上記の指示がなかった場合、Ｓ１００１において特定された装置の種類と印刷対象のデータの種類に関わらず、フィッティング印刷を行わないようＳ１００２において判定してもよい。即ち、ユーザによる上記の指示があり、且つ装置の種類と印刷対象のデータの種類が所定の種類である場合に、フィッティング印刷を行うよう判定してもよい。
【００６６】
Ｓ１００２において、フィッティング印刷が実行されると判定された場合には、Ｓ１００３〜Ｓ１００６の処理が実行される。一方、フィッティング印刷が実行されると判定されなかった場合、Ｓ１００７に処理が遷移する。
【００６７】
Ｓ１００３でＣＰＵ２０１は、モータ制御部２０９、センサ制御部２１４により、キャリッジ１１３および用紙センサ１１８を駆動させ、図２を用いて説明した用紙幅検出を実行する。続くＳ１００４では、Ｓ１００３における用紙幅検出により検出された用紙幅を取得し、ワークメモリ２０５に用紙幅情報として記憶する。
【００６８】
次にＣＰＵ２０１はＳ１００５において、Ｓ１００４において記憶された用紙幅情報と図４の用紙サイズテーブルを参照して、印刷装置１００がサポートする定型用紙サイズのから１または複数の用紙サイズを印刷媒体のサイズの候補として特定する。上述のように、Ｓ１００４において記憶された用紙幅情報によっては、複数の用紙サイズが印刷媒体のサイズの候補として抽出される。なお、この抽出された用紙サイズ（群）は、候補用紙サイズ情報としてワークメモリ２０５に記憶される。
【００６９】
次にＣＰＵ２０１はＳ１００６において、印刷装置１００において搬送されている印刷媒体の大きさに合わせて印刷対象の画像を画像メモリ２０６上に作成するフィッティング処理を実行する。このフィッティング処理の詳細については図６を用いて説明する。
【００７０】
上記Ｓ１００２における判定においてフィッティング印刷が実行されると判定されなかった場合、Ｓ１００７の処理が実行される。Ｓ１００７においてＣＰＵ２０１は、印刷設定情報により指定されている印刷設定に従って印刷対象の画像を画像メモリ２０６上に作成する。例えば印刷ジョブに印刷対象の画像データが含まれており、印刷設定において印刷方法として「拡大／縮小印刷」、印刷用紙サイズとして「Ａ４サイズ」が設定されていた場合、画像データを展開し、展開された画像をＡ４サイズに合わせて変倍する。また印刷方法として「等倍印刷」が指定されていた場合には、上記変倍処理を行わずに印刷対象の画像を作成する。なお、フチなし印刷が指定されている場合は、印刷設定に設定されている印刷用紙サイズがフチなし拡大率で拡大されたレイアウト領域に印刷対象の画像がレイアウトされる。
【００７１】
例えばＳ１００１において特定されたファイル形式がＰＤＦである場合、Ｓ１００２においてフィッティング印刷は実行されないと判断される。この場合、Ｓ１００７において、ＰＤＦファイルにおいて設定されているページサイズに応じて用紙サイズを設定してもよい。
【００７２】
ＰＤＦファイルでは、ページサイズの情報をファイル内に書き込むことが可能であり、例えばＰＤＦファイル内のページに対して適切なページサイズが書き込まれている。仮にそのページサイズ以外のサイズにページのフィッティングを行った場合、本来印刷されるべき印刷用紙のサイズとは異なる印刷用紙に印刷が行われてしまう場合がある。そこで、Ｓ１００１において特定されたファイル形式がＰＤＦの場合、フィッティング印刷は行われず、Ｓ１００７においてＰＤＦファイル内のページサイズが印刷用紙のサイズとして設定される。
【００７３】
また印刷対象がＰＤＦファイルの場合、Ｓ１００７において用紙センサ１１８による用紙幅の検知が実行されてもよい。この場合、ＰＤＦファイル内のページサイズの幅と、用紙センサ１１８による用紙幅を比較する。そして、両者の差が所定の幅よりも小さければページサイズに合わせた印刷が実行され、上記差が所定の幅以上であれば、印刷用紙のサイズをユーザが確認するためのエラーメッセージが操作パネル２１８に表示されてもよい。
【００７４】
Ｓ１００８においてＣＰＵ２０１は、上記のＳ１００６またはＳ１００７において画像メモリ２０６上に作成された印刷対象の画像をヘッド制御部２１３に出力する。そして、印刷ヘッド１１２、キャリッジ１１３を駆動させて当該印刷対象の画像を印刷媒体に印刷させる。
【００７５】
なお、上記Ｓ１００６またはＳ１００７において印刷対象の画像を作成するときに、印刷対象のデータがＪＰＥＧ画像ファイル等の画像データであれば伸長処理を行ってビットマップデータを画像メモリ２０６上に展開する。また印刷対象のデータがベクターデータの場合は画像メモリ２０６においてレンダリング処理を行い、画像メモリ２０６上にビットマップデータを展開する。
【００７６】
以上、図５のフローチャートが示す処理により、印刷設定に応じた大きさまたは用紙センサ１１８の検出結果に基づく大きさの画像が印刷装置１００により印刷される。
【００７７】
本実施形態では、図５のＳ１００５において用紙サイズの複数の候補が特定された場合、当該印刷における余白設定に応じて用紙サイズを決定し、その用紙サイズに応じて印刷対象の画像を変倍する。なお、本実施形態では余白設定として「フチなし印刷」の設定を例に説明する。そして、「フチなし印刷」の実行が余白設定として設定されているか否かに応じて用紙サイズを決定する。
【００７８】
図６は、本実施形態における印刷対象の画像サイズを決定する処理を示す図であり、用紙サイズの候補としてＡ４サイズとレターサイズが特定された場合の例である。図６に示すように、Ａ４サイズとレターサイズでは、用紙幅はレターサイズの方が長く、用紙長はＡ４サイズの方が長い。例えばフチなし印刷が実行されない場合、印刷対象の画像の全体が印刷用紙に印刷されることが適切と考えられる。そこで本実施形態では、図６（ａ）における斜線の領域のように、複数の候補（Ａ４サイズ、レターサイズ）よりも小さな領域を印刷対象の画像の展開領域として設定し、その展開領域に合わせて印刷対象の画像を変倍する。
【００７９】
具体的には、Ａ４サイズ、レターサイズのうちの最小の用紙幅、最小の用紙長を用紙サイズとして設定し、また最小の用紙幅、最小の用紙長のそれぞれから余白が除かれた大きさに画像を変倍する。例えば図６（ａ）において、Ａ４サイズ（用紙幅２１０．０ｍｍ、用紙長２９７．０ｍｍ）、レター（用紙幅２１５．９ｍｍ、用紙長２７９．４ｍｍ）が候補である場合、用紙幅２１０．０ｍｍ、用紙長２７９．４ｍｍが選択される。さらに、その選択された用紙幅、用紙長の用紙サイズにおける余白が除かれた領域を印刷対象の画像の展開領域として設定し、設定された展開領域の大きさに合わせて画像を変倍する。
【００８０】
このように印刷対象の画像を変倍することで、印刷装置１００において印刷に使用される印刷用紙のサイズがＡ４サイズ、レターサイズのいずれであっても、印刷対象の画像の全体を印刷用紙に印刷させることができる。
【００８１】
一方、フチなし印刷が実行される場合、印刷用紙において余白が設けられないように印刷が実行されることが適切と考えられる。そこで本実施形態では、図６（ｂ）における斜線の領域のように、複数の候補よりも大きな領域を印刷対象の画像の展開領域として設定し、その展開領域に合わせて印刷対象の画像を変倍する。
【００８２】
具体的には、複数の候補のうちの最大の用紙幅、最大の用紙長（レターサイズの用紙幅２１５．９ｍｍ、Ａ４サイズの用紙長２９７．０ｍｍ）の領域を展開領域として設定する。さらに、その設定された展開領域から所定のフチなし拡大率（例えば１０５％）で拡大された領域を印刷対象の画像の展開領域として設定し、設定された展開領域の大きさに合わせて画像を変倍する。
【００８３】
このように印刷対象の画像を変倍することで、印刷装置１００において印刷に使用される印刷用紙のサイズがＡ４サイズ、レターサイズのいずれであっても、印刷用紙に余白が設けられないように印刷を実行することができる。
【００８４】
また、以上のように本実施形態では、用紙センサ１１８による検出結果により用紙サイズの複数の候補が特定された場合、当該複数の候補の幅と長さから、余白設定に応じた幅と長さをそれぞれ個別に選択する。このように印刷用紙の幅、長さを個別に選択するのではなく、例えば複数の候補からいずれかの候補を選択し、その候補のサイズを変倍することで印刷対象の画像の展開領域を決定することも考えられる。例えばフチあり印刷の例では、選択された候補（例えばＡ４サイズ）がレターサイズの長さに収まるように縮小される。しかしこの場合、Ａ４サイズの方がレターサイズに比べて縦長のため、この場合、図６（ａ）に示した本実施形態における例と比較すると、左右の余白が不必要に広くなってしまうことがある。また逆にフチなし印刷の例では、選択された候補（例えばＡ４サイズ）がレターサイズの幅よりも大きくなるように拡大される。この場合、Ａ４サイズの方がレターサイズに比べて縦長のため、図６（ｂ）に示した例と比較すると、上下の画像のはみ出し量が不必要に広くなってしまうことがある。
【００８５】
本実施形態では、用紙サイズの複数の候補の幅と長さから、余白設定に応じた幅と長さがそれぞれ個別に選択される。例えばフチあり印刷では最小の幅と最小の長さがそれぞれ個別に選択され、フチなし印刷では最大の幅と最大の長さがそれぞれ個別に選択される。これにより、フチあり印刷において不必要に余白が設けられる、またフチなし印刷において不必要に画像のはみ出し量が設けられてしまうことを防ぐことができる。
【００８６】
図６で説明した印刷対象の画像のサイズを決定する処理の詳細について図７を用いて説明する。図７は、図５のＳ１００６におけるフィッティング処理の詳細を示すフローチャートである。
【００８７】
Ｓ１１００においてＣＰＵ２０１は、当該印刷における余白設定としてフチなし印刷が設定されているか判定する。フチなし印刷が設定されているか判定するときの条件は種々のものであってよい。例えば印刷装置１００の印刷モードがフチなし印刷を行うモードであった場合に、フチなし印刷が設定されていると判定してもよい。また図５のＳ１００１において受信された印刷ジョブに含まれている印刷設定情報から余白設定を入力し、その余白設定情報においてフチなし印刷が指定されていた場合に、フチなし印刷が設定されていると判定してもよい。さらに、図５のＳ１００１において印刷ジョブとともに、印刷ジョブを送信した装置や印刷指示に用いられたアプリケーションを特定するための情報を受信してもよい。この場合、当該情報により特定された装置やアプリケーションの種類によってフチなし印刷が設定されているか判定してもよい。印刷に使用される印刷用紙のサイズや種別によりフチなし印刷が設定されるか判定してもよい。例えば印刷用紙のサイズが「Ｌ判」、「２Ｌ判」である場合や、印刷用紙の種別が「光沢紙」で有る場合など、印刷対象の画像が写真であることが多い印刷用紙が印刷設定として設定されていた場合に、フチなし印刷が設定されていると判定してもよい。
【００８８】
Ｓ１１００において、当該印刷において余白設定としてフチなし印刷が設定されていると判定されなかった場合はＳ１１０１へ進む。Ｓ１１０１においてＣＰＵ２０１は、図５のＳ１００５において特定された印刷用紙のサイズの候補が１つであるか判定する。候補が１つであると判定されるとＳ１１０４に進み、候補が複数であると判定されるとＳ１１０２に進む。Ｓ１１０４における処理の詳細については後述する。
【００８９】
Ｓ１１０２においてＣＰＵ２０１は、図５のＳ１００５で特定された用紙サイズの複数の候補の用紙幅から最小の用紙幅を選択する。具体的には、図４で示した用紙サイズテーブルを参照し、複数候補の用紙幅を取得して、その用紙幅から最小のものを特定する。そして、その最小の用紙幅を示す値を、印刷対象の画像が展開される展開領域の幅としてワークメモリ２０５に記憶する。
【００９０】
次にＳ１１０３においてＣＰＵ２０１は、印刷用紙サイズの複数の候補の用紙長から最小の用紙長を選択する。Ｓ１１０３における用紙長の設定処理の詳細はＳ１１０２における設定処理と同様である。
【００９１】
以上のように、Ｓ１１０２とＳ１１０３における処理によりワークメモリ２０５上に用紙幅、用紙長が設定されると、Ｓ１１０４に進む。
【００９２】
Ｓ１１０４でＣＰＵ２０１は、フチなし印刷設定が実行されないときの印刷用紙における余白の幅を示す余白設定を入力する。この余白設定は、例えば図５のＳ１００１において受信された印刷ジョブに含まれている印刷設定情報から入力する場合であってもよいし、印刷装置１００における所定の余白幅を示す余白設定をプログラムメモリ２０３から入力してもよい。
【００９３】
Ｓ１１０５でＣＰＵ２０１は、Ｓ１１０２、Ｓ１１０３における処理で設定された用紙幅、用紙長、及びＳ１１０４において入力された余白設定において設定されている余白の幅に応じて、印刷対象の画像がレイアウトされるレイアウト領域のサイズを決定する。即ち、Ｓ１１０２、Ｓ１１０３において用紙サイズが設定され、さらに余白の幅が特定されると、その用紙サイズから余白が除かれたサイズがレイアウト領域のサイズとして決定される。
【００９４】
一方、Ｓ１１００において、当該印刷において余白設定としてフチなし印刷が設定されていると判定された場合はＳ１１０６に進む。Ｓ１１０６においてＣＰＵ２０１は、図５のＳ１００５において特定された印刷用紙のサイズの候補が１つであるか判定する。候補が１つであると判定されるとＳ１１０９に進み、候補が複数であると判定されるとＳ１１０７に進む。
【００９５】
Ｓ１１０７においてＣＰＵ２０１は、印刷用紙サイズの複数の候補の用紙幅から最大の用紙幅を選択する。さらにＳ１１０８においてＣＰＵ２０１は、複数の候補の用紙長から最大の用紙長を選択する。なお、Ｓ１１０６、Ｓ１１０７における設定処理の詳細はＳ１１０２、Ｓ１１０３における設定処理と同様である。
【００９６】
以上のように、Ｓ１１０７とＳ１１０８における処理によりワークメモリ２０５上に用紙幅、用紙長が設定されると、Ｓ１１０９に進む。
【００９７】
Ｓ１１０９でＣＰＵ２０１は、フチなし拡大率を取得する。印刷装置１００は、フチなし印刷を実行するために、印刷用紙よりも大きな画像を印刷することで印刷用紙の端に余白ができないようにする。そこで、Ｓ１１０９では、印刷用紙のサイズに対する印刷対象の画像のサイズの比率を示すフチなし拡大率を取得する。なお、本実施形態においてはフチなし拡大率を示す情報がプログラムメモリ２０３に格納されており、ＣＰＵ２０１はこの情報を取得するものとする。また本実施形態においてフチなし拡大率は１０５％であるとする。
【００９８】
Ｓ１１１０でＣＰＵ２０１は、Ｓ１１０７、Ｓ１１０８において設定された用紙サイズ（用紙幅、用紙長）及びＳ１１０９において取得されたフチなし拡大率に応じて、印刷対象の画像のサイズを決定する。具体的には、Ｓ１１０７、Ｓ１１０８において設定された用紙サイズにフチなし拡大率（１０５％）を乗算した大きさを、印刷対象の画像がレイアウト（展開）されるレイアウト領域のサイズとして決定する。
【００９９】
Ｓ１１０５またはＳ１１１０において印刷対象の画像のサイズが決定されると、Ｓ１１１１に進む。Ｓ１１１１では、図５のＳ１００１において受信された印刷ジョブに含まれているデータに対応する印刷対象の画像を、Ｓ１１０５またはＳ１１１０において決定されたレイアウト領域のサイズに合わせて展開する。これにより、Ｓ１１０５またはＳ１１１０において決定されたレイアウト領域に応じた大きさの印刷対象の画像が画像メモリ２０６上に作成される。
【０１００】
なお、Ｓ１１１１では、印刷対象の画像を余白設定に合わせて変倍を行う。具体的には、フチあり印刷が指定されておりＳ１１０５において展開領域のサイズが決定された場合は、印刷対象の画像が展開領域に対して内接して、当該展開領域に画像の全体が含まれるように変倍が行われる。一方、フチなし印刷が指定されておりＳ１１１０において展開領域のサイズが決定された場合は、印刷対象の画像が展開領域に対して外接して、印刷対象の画像が当該展開領域を含むように変倍される。
【０１０１】
Ｓ１１１１における変倍処理の例として他にも、印刷対象の画像の幅と長さが展開領域に合うように、当該印刷対象の画像の幅と長さを個別に変倍するようにしてもよい。
【０１０２】
以上のように図７に示した処理によれば、用紙サイズの候補が複数あり且つフチなし印刷が実行されると判定されなかった場合（Ｓ１１００、Ｓ１１０１ともにＮｏ）、Ｓ１１０２、Ｓ１１０３に処理が遷移する。そしてＳ１１０２、Ｓ１１０３において複数の候補のうちの最小の用紙幅、最小の用紙長が展開領域のサイズとして設定される。Ｓ１１０５において、最小の用紙幅、最小の用紙長のそれぞれから余白が除かれた展開領域の大きさに合わせて印刷対象の画像の変倍を行う。すると、印刷装置１００に使用される印刷用紙が複数の候補のいずれであっても、印刷用紙の用紙幅、用紙長よりも幅、長さが短い印刷対象の画像が生成されるため、印刷対象の画像の全体を印刷用紙に印刷することができる。
【０１０３】
また以上のように図７に示した処理によれば、用紙サイズの候補が複数あり且つフチなし印刷が実行されると判定された場合（Ｓ１１００でＹｅｓ、Ｓ１１０６でＮｏ）、Ｓ１１０７、Ｓ１１０８に処理が遷移する。そしてＳ１１０７、Ｓ１１０８において複数の候補のうちの最大の用紙幅、最大の用紙長が展開領域のサイズとして設定される。そしてＳ１１０５において、最大の用紙幅、最大の用紙長が更にフチなし拡大率で拡大された展開領域に合わせて印刷対象の画像の変倍を行う。すると、印刷装置１００に使用される印刷用紙が複数の候補のいずれであっても、印刷用紙の用紙幅、用紙長よりも幅、長さが長い印刷対象の画像が生成されるため、印刷用紙に余白が設けられないように印刷を実行することができる。
【０１０４】
さらに本実施形態によれば、印刷対象のデータの種類や当該データを送信した装置の種類が特定の種類である場合にフィッティング印刷を行う。よって例えばその特定の種類を写真データに対応するものに設定することで、文書ファイルにページサイズが設定されているときに、フィッティング処理によりそのページサイズとは異なる大きさの印刷用紙に印刷が行われてしまうことを防ぐことができる。
【０１０５】
なお、Ｓ１１０５、Ｓ１１１０では、印刷対象の画像の元の大きさと印刷用紙における展開領域とに応じて、印刷対象の画像を拡大するか縮小するか、またそのときの拡大率または縮小率を決定し、決定された拡大率または縮小率に従って変倍を実行する。
【０１０６】
また、Ｓ１１０５、Ｓ１１１０において変倍される印刷対象の画像は、図５のＳ１００１において受信された印刷ジョブから入力される。ただし、印刷対象の所在を示すアドレスが印刷ジョブに含まれている場合には、そのアドレスに対応するサーバ等の装置やメモリから印刷対象の画像が入力される。また印刷対象の画像はビットマップ形式の画像に限らず、ベクターデータであってもよい。この場合、Ｓ１１１１においてベクター画像を画像メモリ２０６上で変倍してからビットマップデータに変換する。
【０１０７】
さらに、図６、図７で示した例では、用紙センサ１１８による検出結果に応じて用紙サイズの複数の候補が特定された場合、その複数の候補全ての用紙幅、用紙長を考慮して用紙幅、用紙長を決定していた。しかしこれに限らず、例えばフチなし印刷の対象となる用紙サイズが限られている場合、フチなし印刷が設定されるときには、複数の候補から参照するものを絞り込むようにしてもよい。例えば用紙サイズの候補として封筒洋形６号、はがき、４×６判が特定され、フチなし印刷の対象が４×６判のみの場合、印刷で用いられる印刷用紙のサイズとして４×６判と判定してもよい。この判定処理のために、例えば各用紙サイズがフチなし印刷に対応しているか示す情報を図４の用紙サイズテーブルに含ませる。そして、フチなし印刷が実行される場合に、ＣＰＵ２０１が用紙サイズテーブルを参照することにより、上記のような絞り込み処理を実行することができる。
【０１０８】
また以上の実施形態では、印刷装置１００が外部装置から印刷ジョブを受信したときに、印刷用紙の用紙サイズを判定して、判定された用紙サイズに応じた印刷を実行する例について説明した。しかしこれに限らず、印刷装置１００が備えるスキャナ２２０により読み取られたスキャン画像を印刷用紙に印刷させるコピー機能において、用紙サイズの判定を行ってもよい。
【０１０９】
図８は、コピー機能における印刷制御処理の一例を示すフローチャートである。図８に示すフローチャートの処理は、図５において示した処理と同様に、ＣＰＵ２０１により実行される。また図８に示すフローチャートの処理は、ユーザが印刷装置１００の操作パネル２１８を用いてコピー機能を選択し、コピー機能実行の指示がＣＰＵ２０１に入力されたときに実行される。
【０１１０】
Ｓ２０００においてＣＰＵ２０１は、パネル制御部２１７により、コピー機能におけるコピー設定やコピー開始をユーザが指定するための設定画面を操作パネル２１８の表示パネルに表示させる。コピー設定画面により設定される内容には、コピー機能において印刷される印刷用紙の用紙サイズ、印刷部数、余白設定、印刷濃度等の設定が含まれる。余白設定には、印刷用紙において余白（フチ）を設けるか否を示す「フチなしコピー」の指定や、フチなしコピーが指定されないときの余白の幅の設定が含まれる。なお、初期設定のコピー設定を示すコピー設定情報がプログラムメモリ２０３に記憶されており、ＣＰＵ２０１はコピー設定情報をデータメモリ２０４に読み出して、上記初期設定をコピー設定画面に表示させる。ユーザはそのデフォルト設定を変更することによりコピー設定を指示することができる。
【０１１１】
上記コピー設定には、スキャナ２２０により読み取られたスキャン画像の変倍（拡大または縮小）に関する変倍設定が含まれており、例えば「等倍設定」が指定された場合には、スキャン画像が変倍されずに印刷される。またユーザにより倍率指定がされた場合には、その指定された倍率でスキャン画像が変倍される。さらに「自動変倍」が指定された場合には、印刷装置１００に格納されている用紙の大きさに合うように変倍（フィッティング処理）が実行される。
【０１１２】
Ｓ２００１においてＣＰＵ２０１は、操作パネル２１８に対してユーザがコピー設定を指示したか判定する。コピー設定を指示したと判定された場合、Ｓ２００２に進み、コピー設定が指示されていないと判定された場合、Ｓ２００３に進む。
【０１１３】
Ｓ２００２においてＣＰＵ２０１は、操作パネル２１８に対してユーザが指定したコピー設定を示すコピー設定情報を、パネル制御部２１７を介して取得する。Ｓ２００２では、ＣＰＵ２０１が、データメモリ２０４に記憶されているコピー設定情報をユーザにより指定されたコピー設定情報に書き換える。Ｓ２００３では、ユーザによりコピー開始が指示されたか判定する。Ｓ２００２でコピー開始が指示されたと判定されるとＳ２００４へ進み、コピー開始指示が指示されたと判定されなかった場合にはＳ２００１に戻る。Ｓ２００４においてＣＰＵ２０１は、スキャナ制御部２１９によりスキャナ２２０に原稿を読み取らせる。
【０１１４】
次にＳ２００５においてＣＰＵ２０１は、データメモリ２０４に記憶されているコピー設定情報において「自動変倍」が指定されているか判定する。Ｓ２００５において「自動変倍」が指定されていないと判定された場合、Ｓ２００６において、コピー設定情報における変倍設定に従って印刷対象の画像を画像メモリ２０６上に作成する。
【０１１５】
一方、Ｓ２００５において「自動変倍」が指定されていると判定された場合には、Ｓ２００７〜Ｓ２０１０の処理が実行される。Ｓ２００７〜Ｓ２０１０では、印刷装置１００において搬送されている印刷用紙のサイズが判定され、Ｓ２００４における読取りにより取得されたスキャン画像が、判定された用紙サイズに応じて変倍される。このＳ２００７〜Ｓ２０１０の処理は、図５を用いて上述したＳ１００３〜Ｓ１００６の処理と同様であるため、詳細な説明は省略する。
【０１１６】
Ｓ２０１１においてＣＰＵ２０１は、上記のＳ２００６またはＳ２０１０において画像メモリ２０６上に作成された印刷対象の画像をヘッド制御部２１３に出力する。そして、印刷ヘッド１１２、キャリッジ１１３を駆動させて当該印刷対象の画像を印刷媒体に印刷させる。
【０１１７】
以上、図８に示した処理では、コピー設定情報における変倍設定が「自動変倍」である場合に、用紙センサ１１８に基づき判定された、印刷装置１００において搬送されている用紙サイズに応じた大きさの画像を印刷させることができる。
【０１１８】
またＳ２００２において取得されたコピー設定情報において余白設定としてフチなしコピーが指定されており、またＳ２００８において用紙サイズの複数の候補が特定された場合には、Ｓ２０１０において、余白設定に応じたフィッティング処理が実行される。具体的には、図６（ｂ）で示したように、複数の候補の最大の用紙幅、最大の用紙長が印刷対象の画像のサイズとして決定され、決定されたサイズに合わせてスキャン画像が変倍される。
【０１１９】
このようにフィッティング処理を行うことで、例えばユーザによりフチありコピーが指定され且つ複数の用紙サイズが候補として特定された場合でも、印刷用紙において余白を設けずにコピーを実行することができる。
【０１２０】
以上のように本実施形態によれば、印刷に用いられる印刷用紙のサイズとして複数の候補が特定された場合、印刷が実行されるときの余白設定に応じて印刷用紙のサイズを判定する。そして、その印刷用紙のサイズと余白設定に応じて印刷対象の画像のサイズを決定する。
【０１２１】
例えば余白設定として「フチなし印刷」が設定されている場合、複数の候補のうちの最大の用紙幅を有するサイズの用紙幅と、複数の候補のうちの最大の用紙長を有するサイズの用紙長により用紙サイズを判定する。そして、その印刷用紙のサイズよりも印刷対象の画像が大きくなるように、印刷対象の画像を変倍する。
【０１２２】
このように印刷対象の画像を変倍すると、印刷に用いられる印刷用紙が上記複数の候補のいずれであっても、印刷用紙のよりも大きな画像が印刷される。そのため、印刷結果において余白でできることを防ぐことができる。
【０１２３】
なお、以上の実施形態では、印刷に用いられる印刷用紙のサイズとして複数の候補が特定された場合、まず用紙幅、用紙長を判定して、その用紙幅、用紙長に余白設定を反映させて印刷対象の画像のサイズを決定していた。しかしこれに限らず、例えば複数の候補と余白設定とにより決定される印刷対象の画像のサイズを示すテーブルをプログラムメモリ２０３に格納しておき、このテーブルを参照することにより印刷対象の画像のサイズを決定してもよい。
【０１２４】
また、以上の実施形態では、余白設定としてフチなし印刷が設定されているか否かに応じて用紙サイズを決定していた。しかしこれに限らず、余白の数値が余白設定として取得される場合であってもよい。例えばユーザが余白の幅の数値を操作パネル２１８において入力し、入力された余白の幅の数値に応じて用紙サイズを決定してもよい。具体的には、用紙幅が所定の幅以下である場合、複数の候補から最大の用紙幅、最大の用紙長さを選択するようにしてもよい。さらに、例えば用紙幅における余白幅のみ上記の所定の幅以下であり、用紙長さが所定の幅より大きかった場合、複数の候補から最大の用紙幅と、最小の用紙長さを選択するようにしてもよい。
【０１２５】
また以上の実施形態では、印刷における余白の設定に基づいて決定された印刷媒体のサイズに合わせて、印刷ジョブの受信等により取得された印刷対象の画像を変倍する例について説明した。しかしこれに限らず、印刷装置１００において新たに印刷対象の画像を生成するときに、印刷媒体のサイズに応じた大きさの画像を生成してもよい。
【０１２６】
さらに、以上の実施形態では、図５のＳ１００３において取得された用紙センサ１１８により検知された用紙幅により、Ｓ１００５において印刷用紙のサイズの候補が特定された。そして、その候補が複数ある場合に、Ｓ１００６におけるフィッティング処理（フチなし／あり印刷の指定による印刷用紙のサイズの特定）を行っていた。
【０１２７】
しかしこれに限らず、Ｓ１００５において印刷用紙のサイズの候補が複数ある場合に候補の絞り込み処理を行い、その絞り込みの結果、未だ候補が複数残っていた場合にＳ１００６の処理（図７に示す処理）を行ってもよい。
【０１２８】
上記の絞り込み処理における絞り込みの条件として、例えば印刷に用いられる印刷用紙の用紙種別（はがき、封筒等）や、印刷装置１００の仕向け地を示す情報等を条件としてもよい。即ち、印刷設定として設定されている用紙種別が「はがき」、「封筒」などの特定の種別の場合、複数の候補のうち「はがき」、「封筒」に該当する印刷用紙のサイズの候補を特定してもよい。また、複数の候補のうち、印刷装置１００の仕向け地における使用頻度の高いサイズを、当該印刷における印刷用紙のサイズとして特定してもよい。さらに、上記絞り込みを行うための複数の条件を組み合わせて絞り込みを行ってもよい。
【０１２９】
また以上の実施形態では、印刷装置１００の外部装置から受信された印刷ジョブに基づく印刷や、印刷装置１００においてコピー機能が実行されたときに、用紙センサ１１８の検出結果に基づいて印刷用紙のサイズを判定する例を示した。しかしこれに限らず、例えばメモリカードスロット２２２に装着されたメモリカード２２３に記憶されている画像を、ユーザが操作パネル２１８において設定した印刷設定に従って印刷するときに、上記の印刷用紙サイズの判定処理を実行してもよい。例えばユーザが指定した印刷設定を示す印刷設定情報において用紙サイズが指定されていなかった場合に、上記のサイズ判定処理を行ってもよい。なお、印刷設定情報において用紙サイズが指定されていなかった場合とは、印刷設定情報に用紙サイズが含まれていない場合でもよいし、用紙センサ１１８を用いた印刷用紙のサイズの設定処理を実行させる指示が印刷設定情報に含まれている場合でもよい。
【０１３０】
また、このように印刷装置１００においてユーザが指定した印刷設定に従って印刷を行う場合、メモリカード２２３のような外部メモリに限らず、印刷装置１００が備える内部メモリに記憶されている画像を印刷する場合であってもよい。また、印刷装置１００とネットワークを介して接続されたサーバ等の外部装置に格納されている画像を、印刷装置１００の操作パネル２１８においてユーザが指定した印刷設定に従って印刷する場合であってもよい。
【０１３１】
さらに、以上の実施形態では印刷装置１００の用紙センサ１１８が用紙の幅を検出する例を示したが、これに限らず、センサにより用紙の長さが検出される場合でもよいし、または用紙の幅、長さの両方が検出される場合であってもよい。いずれの検出方法であっても、印刷装置１００において用いられる印刷用紙のサイズとして複数の候補があった場合に、以上の実施形態で示した処理により適切な用紙サイズを決定することができる。
【０１３２】
また、以上の実施形態では、図６で示した用紙サイズの判定処理を印刷装置１００が備えるＣＰＵ２０１が情報処理装置として実行する例を示した。しかしこれに限らず、印刷装置１００に接続され当該印刷装置に印刷を実行させるホストコンピュータやサーバ等の情報処理装置が本実施形態における印刷制御装置として動作することにより、本実施形態の処理が実行される場合であってもよい。
【０１３３】
具体的には、ホストコンピュータやサーバ、スマートデバイスが印刷装置１００に印刷ジョブを送信するときに、図５におけるＳ１００１〜Ｓ１００７の処理を実行する。即ち、これらの装置が印刷装置１００に印刷ジョブを送信するときに、印刷装置１００の用紙センサ１１８により検出された印刷用紙の用紙幅の情報を取得する。そして、その取得された情報が示す用紙幅に応じて印刷用紙のサイズの候補を特定し、特定された候補と設定用紙サイズによりレイアウト領域を決定する。そして、ホストコンピュータやサーバ、スマートデバイスが備えるメモリ上において、レイアウト領域に対して印刷対象の画像を展開し、展開された画像を印刷装置１００に印刷ジョブとして送信し、印刷装置１００に印刷を実行させる。具体的には、印刷装置１００のＣＰＵ２０１の制御により、ホストコンピュータやサーバ、スマートデバイスから受信した画像を印刷装置１００内の印刷機構が印刷用紙に印刷する。
【０１３４】
またホストコンピュータやサーバ、スマートデバイスにおいて本実施形態の処理を行う場合の別の例として、図７のＳ１１００〜Ｓ１１１０におけるレイアウト領域のサイズの決定までを上記装置で行ってもよい。この場合、Ｓ１１１１における印刷対象の画像の変倍については、印刷装置１００のＣＰＵ２０１により実行される。印刷装置１００と、ホストコンピュータ、サーバ、スマートデバイス等の装置とにおける処理の分担については、他にも種々の構成を本実施形態に適用することができる。
【０１３５】
また以上の実施形態では、印刷装置により画像が印刷される印刷媒体の例として印刷用紙を例に説明したが、これに限らず、ＯＨＰシートであってもよい。また上記の印刷用紙のような矩形の印刷媒体に限らず、ＣＤやＤＶＤ等の円盤状の記録メディアであってもよい。
【０１３６】
なお、本実施形態の機能は以下の構成によっても実現することができる。つまり、本実施形態の処理を行うためのプログラムコードをシステムあるいは装置に供給し、そのシステムあるいは装置のコンピュータ（またはＣＰＵやＭＰＵ）がプログラムコードを実行することによっても達成される。この場合、記憶媒体から読み出されたプログラムコード自体が上述した実施形態の機能を実現することとなり、またそのプログラムコードを記憶した記憶媒体も本実施形態の機能を実現することになる。
【０１３７】
また、本実施形態の機能を実現するためのプログラムコードを、１つのコンピュータ（ＣＰＵ、ＭＰＵ）で実行する場合であってもよいし、複数のコンピュータが協働することによって実行する場合であってもよい。さらに、プログラムコードをコンピュータが実行する場合であってもよいし、プログラムコードの機能を実現するための回路等のハードウェアを設けてもよい。またはプログラムコードの一部をハードウェアで実現し、残りの部分をコンピュータが実行する場合であってもよい。
【符号の説明】
【０１３８】
１００  印刷装置
２０１  ＣＰＵ
２０３  プログラムメモリ
２０４  データメモリ
【図１】
2015009473.tif 000003
【図２】
2015009473.tif 000004
【図３】
2015009473.tif 000005
【図４】
2015009473.tif 000006
【図５】
2015009473.tif 000007
【図６】
2015009473.tif 000008
【図７】
2015009473.tif 000009
【図８】
2015009473.tif 000010